(57)【特許請求の範囲】
【請求項１】
記録装置本体の一面に対して設けられて閉鎖時には前記一面を覆うカバー体を備える記録装置であって、
前記カバー体は回動軸を備え、
前記記録装置本体の前記一面の一側には前記回動軸の入口部と前記回動軸を保持する受入保持部とを有する回動軸受けが形成されており、該回動軸受け近傍に前記カバー体の一部に当接してカバー体の開放状態を維持するストッパが形成されており、
カバー体の前記回動軸の直径は、前記回動軸受けの前記入口部の受入長さより大きいが、前記カバー体の開放状態においてカバー体を更に開放する方向に一定以上の負荷が掛かった場合に、前記ストッパが支点となり前記カバー体が更なる開放方向に回動することで、前記回動軸が前記入口部をその弾性力に抗して拡げて前記回動軸受けから脱着可能になっており、
前記支点としてのストッパより後方に別の支点が形成されており、前記カバー体の開放状態においてカバー体に前記一定以上の負荷が掛かるまでは前記ストッパにカバー体の一部が当接してカバー体の開放状態が維持され、前記カバー体に前記一定以上の負荷が掛かったときはカバー体が更なる開放方向に僅かに回動することでカバー体の他の一部が前記別の支点に当接するようになっており、前記別の支点を中心にして前記カバー体が更に開放方向に回動しようとするときに、前記回動軸が移動しようとする方向に前記入口部が形成されていることを特徴とするカバー体を備える記録装置。
【請求項２】
請求項１に記載された記録装置において、前記カバー体はその開放時にはペーパーサポートとして機能し、前記入口部の受入長さ及び入口部の開閉方向への弾性率が、少なくとも前記ペーパーサポートに被記録媒体を最大量の載置した際にペーパーサポートに加わる最大負荷に対しては前記回動軸が前記回動軸受けから脱着しない大きさに設定されていることを特徴とするカバー体を備える記録装置。
【請求項３】
請求項１または２に記載された記録装置において、前記カバー体の開放状態においてカバー体を更に開放する方向に一定以上の負荷が掛かった場合に、前記ストッパを支点として前記カバー体が更に開放方向に回動しようとするときに、前記回動軸が移動しようとする方向に前記入口部が形成されていることを特徴とするカバー体を備える記録装置。
【請求項４】
請求項１から３のいずれか１項に記載された記録装置において、前記受入保持部の前記入口部とは反対側に中空部が形成されており、前記中空部と前記受入保持部との間には弾性変形可能な軸受接続部が形成されており、前記受入保持部に前記入口部側への一定以上の力成分が作用したとき、前記軸受接続部は前記入口部の受入長さが拡がるように弾性変形することを特徴とするカバー体を備える記録装置。
【請求項５】
請求項１から４のいずれか１項に記載された記録装置おいて、当該記録装置はモバイルタイプのものであり、持ち運び用のハンドルを備えていることを特徴とする記録装置。
【発明の詳細な説明】
【技術分野】
【０００１】
本発明は、インクによって被記録媒体に記録を実行するインクジェット式記録装置などの記録装置に関するものである。
【背景技術】
【０００２】
特許文献１に示すような従来のインクジェット式プリンタは、複数枚の用紙を給紙部のスタッカに積層しておき、自動給紙機構により最上部の用紙から一枚ずつ記録部へ給送している。このような給紙部を有するプリンタでは、用紙の長手方向の長さが長い場合に端部を支持するためのペーパーサポートがスタッカに着脱可能にあるいは伸縮可能に設けられている。更に、給紙部の給紙口等を防塵目的で覆うカバー体が開閉可能に設けられたものがある。
【０００３】
通常、従来のインクジェットプリンタは、補助机など所定の場所に固定して使用されるため、前記ペーパーサポートやカバー体が通路等に延びるような状態で使用されることは考えにくかった。しかし近年、モバイルタイプのプリンタのニーズが高まる中では、プリンタを床に置いたり、屋外で使用する場合を想定してプリンタの開発をしなければならなくなった。特に、モバイルタイプのプリンタでは、ペーパーサポートやカバー体は不使用時には収納状態や折り畳み状態とし、使用時には本体部分から回動式に開放状態にするので、使用中のプリンタの近くを人が歩く場合、人がペーパーサポートやカバー体に衝突する事態が想定される。この場合、ペーパーサポートやカバー体に大きな負荷が掛かり、回動部が破損するおそれがある。
【０００４】
【特許文献１】特開２００５−１０４１３７号公報
【発明の開示】
【発明が解決しようとする課題】
【０００５】
本発明の目的は、カバー体等に大きな負荷が掛かった場合に、回動部が破損する前にカバー体等が本体部分から外れるようにしたカバー体を備える記録装置を提供することにある。
【課題を解決するための手段】
【０００６】
上記課題を達成するため、本発明の第１の態様に係るカバー体を備える記録装置は、記録装置本体の一面に対して設けられて閉鎖時には前記一面を覆うカバー体を備える記録装置であって、前記カバー体は回動軸を備え、前記記録装置本体の前記一面の一側には前記回動軸の入口部と前記回動軸を保持する受入保持部とを有する回動軸受けが形成されており、該回動軸受け近傍に前記カバー体の一部に当接してカバー体の開放状態を維持するストッパが形成されており、カバー体の前記回動軸の直径は、前記回動軸受けの前記入口部の受入長さより小さいが、前記カバー体の開放状態においてカバー体を更に開放する方向に一定以上の負荷が掛かった場合に、前記ストッパが支点となり前記カバー体が更なる開放方向に回動することで、前記回動軸が前記入口部をその弾性力に抗して拡げて前記回動軸受けから脱着可能になっていることを特徴とするものである。
【０００７】
本発明の第１の態様によれば、カバー体を急激に開けたり、あるいはカバー体の開放状態において人がカバー体に衝突した場合など、カバー体を更に開放する方向に一定以上の負荷が掛かった場合に、カバー体の回動部が破損する前にカバー体自体が記録装置本体側から外れる。これによりカバー体の回動部の破損を回避することができる。また、本発明が適用される記録装置の対象機種をモバイルタイプした場合には、机やテーブルに置いて使用されるより、むしろ室内や屋外で手軽に移動して種々の場所で使用されることが想定されるが、このような場合に開放状態のカバー体に人が衝突する可能性が高まるので、特にこのような構成は有効である。
【０００８】
また、本発明の第２の態様に係るカバー体を備える記録装置は、上記第１の態様において、前記カバー体はその開放時にはペーパーサポートとして機能し、前記入口部の受入長さ及び入口部の開閉方向への弾性率が、少なくとも前記ペーパーサポートに被記録媒体を最大量の載置した際にペーパーサポートに加わる最大負荷に対しては前記回動軸が前記回動軸受けから脱着しない大きさに設定されていることを特徴とするものである。  
ここで、「最大量」とは、ペーパーサポートに載置される被記録媒体が、想定される最大負荷を与えることになる被記録媒体の量を意味し、被記録媒体１枚当たりの重量と枚数によって決まるが、現実的には最大負荷を予め安全範囲で設定して決めるのが簡単である。
【０００９】
本態様によれば、ペーパーサポートに載置可能な最大量の被記録媒体の重量も考慮されているから、被記録媒体がペーパーサポート上に載置されている場合に容易にペーパーサポートが外れてしまうことを防止できる。
【００１０】
また、本発明の第３の態様に係るカバー体を備える記録装置は、上記第１の態様または第２の態様において、前記カバー体の開放状態においてカバー体を更に開放する方向に一定以上の負荷が掛かった場合に、前記ストッパを支点として前記カバー体が更に開放方向に回動しようとするときに、前記回動軸が移動しようとする方向に前記入口部が形成されていることを特徴とするものである。
【００１１】
本態様によれば、ストッパを支点としてカバー体が更に開放方向に回動しようとしたときに、回動軸が受入保持部の面に当接して回動軸が受入保持部内に留まってしまうことがないように当該入口部が配置されているから、カバー体に一定以上の負荷が掛かった場合に直ちにカバー体が脱着されるようになる。
【００１２】
また、本発明の第４の態様に係るカバー体を備えた記録装置は、上記第１の態様または２の態様において、前記支点としてのストッパより後方に別の支点が形成されており、前記カバー体の開放状態においてカバー体に前記一定以上の負荷が掛かるまでは前記ストッパにカバー体の一部が当接してカバー体の開放状態が維持され、前記カバー体に前記一定以上の負荷が掛かったときはカバー体が更なる開放方向に僅かに回動することでカバー体の他の一部が前記別の支点に当接するようになっており、前記別の支点を中心にして前記カバー体が更に開放方向に回動しようとするときに、前記回動軸が移動しようとする方向に前記入口部が形成されていることを特徴とするものである。
【００１３】
本態様によれば、カバー体の開放状態において、カバー体に一定以上の負荷が掛かるまではストッパにストッパ受け部が当接してカバー体の開放状態が維持される。一方、カバー体に一定以上の負荷が掛かったときは、カバー体が更に開放方向に僅かに回動することでカバー体の別の部位が別の支点に当接するようになる。そして、別の支点を中心にしてカバー体が更に開放方向に回動しようとするときに、回動軸が移動しようとする方向に入口部が形成されているから、てこの原理で回動軸がより容易に回動軸受けから外れやすくなる。
【００１４】
また、本発明の第５の態様に係るカバー体を備えた記録装置は、上記第１の態様から第４の態様のいずれかにおいて、前記受入保持部の前記入口部とは反対側に中空部が形成されており、前記中空部と前記受入保持部との間には弾性変形可能な軸受接続部が形成されており、前記受入保持部に前記入口部側への一定以上の力成分が作用したとき、前記軸受接続部は前記入口部の受入長さが拡がるように弾性変形することを特徴とする。
【００１５】
本態様によれば、カバー体に一定以上の負荷が掛かったときには、カバー体が更なる開放方向に回動しようとすることで受入保持部においては入口部側へ一定以上の力成分が作用する。このとき軸受接続部にも同方向の力成分が作用して弾性変形し、入口部の受入長さが拡がる結果、回動軸がより容易に回動軸受けから外れやすくなる。
【００１６】
また、本発明の第６の態様に係るカバー体を備えた記録装置は、上記第１の態様から第５の態様のいずれかにおいて、当該記録装置はモバイルタイプのものであり、持ち運び用のハンドルを備えていることを特徴とするものである。既述のように、モバイルタイプした場合には、室内や屋外で手軽に移動して種々の場所で使用されることが想定される。このような場合に開放状態のカバー体に人が衝突する可能性が高まるので、特にこのような構成は有効である。
【発明を実施するための最良の形態】
【００１７】
以下、本願発明の実施の形態を図面に基づいて説明する。図１は本発明に係るカバー体を備えるインクジェット式記録装置（以下、単に記録装置という）の正面側の斜視図であり、図２は同記録装置の背面側の斜視図であり、図３はカバー体が開放状態の記録装置を示す斜視図であり、図４は記録装置の天面の平面図である。また図５の（Ａ）はカバー体の着脱構造を示す分解斜視図、（Ｂ）は同断面図であり、図６は排出スタッカの開放状態の同記録装置を示す斜視図であり、図７は排出スタッカの自動開放構造の分解斜視図である。更に図８は排出スタッカの自動開放構造の開放動作前の状態を示し、図９は排出スタッカの自動開放構造の開放動作時の状態を示す。  
図１０の（Ａ）は一定以上の負荷がカバー体に掛かる前の説明図であり、（Ｂ）は一定以上の負荷がカバー体に掛かった後の説明図であり、図１１は本発明の他の実施形態を示すカバー体部分の要部側断面図である。また図１２は本発明の更に他の実施形態を示すカバー体部分の要部側断面図であり、図１３（Ａ）は本発明の更に他の実施形態を示すカバー体部分の軸受接続部の変形前の状態を示し、（Ｂ）は軸受接続部の変形後の状態を示す。
【００１８】
なお、本発明についての以下の説明において、正面側とは記録装置の使用時に使用者が向かう側であり、背面側とは正面側の反対側である。また方向をより簡単に表すため、正面側を前側、その反対方向を後側という場合もある。
【００１９】
図１に示す記録装置１は、ほぼ直方体形状の記録装置本体３を主体とし、記録装置本体３は、正面５、背面７、左側面９、右側面１１、天面１３及び底面１５を有する。記録装置本体３の天面１３には、カバー体１７が背面７側に回動して天面１３が開放可能となるように設けられている。また、記録装置本体３の天面１３には、操作パネル１９及び被記録媒体の給送部２１が設けられ、正面５には排出スタッカ２３が設けられ、左右の側面９、１１の間にはハンドル２５が上方へ回動可能に設けられている。
【００２０】
ここで、記録装置１の内部構造について記録工程とともに簡単に説明する。給送部２１には複数枚の被記録媒体Ｐをセットすることが可能であり、図示しないホッパ及び搬送ローラによりセットされた被記録媒体Ｐの最上部から一枚ずつ記録部（図示せず）に給送される。記録部には、被記録媒体Ｐにインクを吐出して記録を行う記録ヘッド（図示せず）が設けられ、また被記録媒体Ｐに対して記録ヘッドを主走査方向Ｘに走査させるためのキャリッジ（図示せず）を備えている。被記録媒体Ｐが記録部に給送されてくると、インクカートリッジ（図示せず）から記録ヘッドへ各色のインクが供給され、記録ヘッドは主走査方向Ｘへ往復動し、ヘッド面に多数配置されているノズルから搬送される被記録媒体Ｐへインクが吐出されて記録が実行される。記録が完了した被記録媒体Ｐは、排出ローラ（図示せず）によって副走査方向Ｙへ搬送され、最終的に開状態の排出スタッカ２３上に排出される。なお、上記の構成は従来のインクジェットプリンタと同様な構造であるので、ここでは詳細な説明は省略する。
【００２１】
図４に示す如く、記録装置本体３の天面１３に設けられる操作パネル１９には、電源スイッチ２７、電源インジケータ２８、液晶表示画面２９、液晶表示画面２９の操作用の左右移動ボタン３１、液晶表示画面２９のメニュー選択ボタン３３、用紙選択ボタン３５、用紙選択表示部３７、記録実行ボタン３９、全て記録実行ボタン４１、液晶表示画面２９において選択を実行するＯＫボタン４３、キャンセルボタン４５及び排出スタッカ開放ボタン４７が設けられている。排出スタッカ開放ボタン４７の作用については後述する。
【００２２】
カバー体１７は、記録装置本体３の天面１３のほぼ全体を覆う大きさであり、その閉鎖時には操作パネル１９の全体がカバー体１７によって覆われる。これにより、不使用時に液晶表示画面２９に埃が溜まって見にくくなったり、操作パネル１９上のボタンの隙間に埃が入り込み、故障の原因となることを防止できる。また、操作パネル１９に物が落下した場合等による衝撃から操作パネル１９を物理的に保護することができる。更に、本発明が適用される記録装置１の対象機種をモバイルタイプした場合には、机やテーブルに置いて使用されるより、むしろ室内や屋外で手軽に移動して種々の場所で使用される事態が想定される。このような場合に、操作パネル１９の全体がカバー体１７によって覆われていることで、移動時に不用意にスイッチがＯＮになることを防止できる。
【００２３】
図１に示す如く、カバー体１７の閉鎖時における記録装置１の正面側には、カバー体を開閉するときに指をかける係止部４９を備えている。また、カバー体１７の中央には、カバー体を閉鎖しているときでも使用者が液晶表示画面２９の表示を確認できるようにするための窓部５１を備え、背面側にはカバー体１７の回動軸５３（図４、図５等参照）が設けられている。カバー体１７の回動軸５３は、記録装置本体３の天面１３の背面側に形成された回動軸受け５５と組み合わさることによりカバー体１７の回動部５７を構成している。
【００２４】
即ち図５に示す如く、カバー体１７の回動軸５３は一定の直径を有し、一方回動軸受け５５は断面Ｃ型で、その入口部５９が回動軸５３の直径より小さい受入長さ５４（図１０（Ａ）参照）を有し、受入保持部６１が回動軸５３の直径とほぼ同じか若干大きめの内径寸法を有する。カバー体１７を記録装置本体３に取り付ける際には、回動軸５３を回動軸受け５５の入口部５９に臨ませた状態で、回動軸５３を回動軸受け５５の入口部５９から受入保持部６１の方向へ押し込む。これにより断面Ｃ型の入口部５９が一時的に弾性的に拡がり、両方の回動軸５３が受入保持部６１内に入り込むことができる。一旦回動軸５３が受入保持部６１内に入り込むと、回動軸５３は受入保持部６１内で回転自在であるから、カバー体１７は記録装置本体３に対して回動軸５３を中心として回動可能となる。
【００２５】
回動軸５３の近傍にはストッパ６３（図５（Ａ）（Ｂ）参照）が形成されており、このストッパ６３は、カバー体１７が図３に示す角度の位置まで回動したときに回動軸受け５５の入口部５９の上側に形成されたストッパ受け部６５に当接し、カバー体１７がそれ以上回動しないようにしている。このような位置までカバー体１７が回動したとき、図３に示す如く、カバー体１７は天面１３に対してほぼ１２０度の角度で保持された状態となり、カバー体１７の裏面側がペーパーサポート６７として機能する。つまり、Ａ４などの比較的長めの被記録媒体Ｐに記録を行う場合、ペーパーサポート６７は、複数枚の被記録媒体Ｐのほぼ上半分側を支持するように機能する。因みにこのようにカバー体１７自体がペーパーサポート６７としても機能するから、従来のようにペーパーサポートを記録装置とは別個の部材として管理する手間が必要なくなる。
【００２６】
カバー体１７を急激に開けたり、或いはカバー体１７の開放状態（図１０（Ａ）参照）で、人がカバー体１７に衝突した場合など、カバー体１７を更に開放する方向（図１０（Ｂ）中、矢印７２で示す）に一定以上の負荷が掛かった場合には、ストッパ６３が支点となりカバー体１７が更に開放方向に回動する（図１０（Ｂ）の仮想線参照）。これにより回動軸５３が入口部５９内に入り込み、入口部５９の弾性力に抗して受入長さ５４よりも入口部５９を一時的に拡げて、受入保持部６１から回動軸５３が脱着可能になっている。従って上記のような衝撃があった場合、回動軸５３や回動軸受け５５自体が破損することを防止できる。
【００２７】
入口部５９の受入長さ５４及び入口部５９の開閉方向への弾性率は、少なくとも前記ペーパーサポート６７に被記録媒体Ｐを最大量の載置した際にペーパーサポート６７に加わる最大負荷に対しては前記回動軸５３が前記回動軸受け５５の受入保持部６１から脱着しない大きさに設定されている。
【００２８】
［カバー体部分の他の実施形態］
また、図１１（Ａ）（Ｂ）に示す如く、本発明のカバー体部分の他の実施形態では、カバー体１７の開放状態においてカバー体１７を更に開放する方向７２に一定以上の負荷が掛かった場合に、ストッパ６３を支点としてカバー体１７が更に開放方向７２に回動しようとするときに、回動軸５３が移動しようとする方向（図１１中、符号７４で示す）に、入口部５９が開口しているように構成されている。入口部５９の位置が、このように規定されることにより、図１１（Ｂ）に示したように、回動軸５３が移動しようとする際の回動円弧の接線方向に入口部５９が形成されていることになるから、回動軸５３がより容易に受入保持部６１から外れやすくなる。
【００２９】
［カバー体部分の更に他の実施形態］
図１２（Ａ）（Ｂ）には本発明のカバー体部分の更に他の実施形態を示す。この実施形態では、支点としてのストッパ６３より後方に別の支点１１７が形成されている。図１２（Ａ）に示す如く、カバー体１７の開放状態において、カバー体１７に一定以上の負荷が掛かるまではストッパ６３にストッパ受け部６５が当接してカバー体１７の開放状態が維持される。一方、カバー体１７に一定以上の負荷が掛かったときは、カバー体１７が更に開放方向７２に僅かに回動することでカバー体１７の別の支点１１７が回動軸受け５５側の別の部位１１９に当接するようになる。
【００３０】
そして、図１２（Ｂ）に示す如く、別の支点１１７を中心にしてカバー体１７が更に開放方向７２に回動しようとするときに、回動軸５３が移動しようとする方向（符号１２１で示す）に入口部５９が開口して形成されている。このような構成により、カバー体１７に一定以上の負荷が掛かるまでは回動軸５３が受入保持部６１から誤って外れにくいが、カバー体１７に一定以上の負荷が掛かると、回動軸５３が移動しようとする際の回動円弧の接線方向に入口部５９が形成されていることになるから、回動軸５３がより容易に受入保持部６１から外れやすくなる。
【００３１】
［カバー体部分の更に他の実施形態］
次に、図１３（Ａ）（Ｂ）を参照しながら本発明の更に他の実施形態について説明する。本実施形態では、受入保持部６１および入口部５９は図５に示す実施形態と同様であるが、受入保持部６１の入口部５９とは反対側に比較的大きな中空部７８が形成されており、また中空部７８と受入保持部６１との間には弾性変形可能な軸受接続部８０が形成されている点で異なる。そして、受入保持部６１に入口部５９側への一定以上の力成分が作用したとき、軸受接続部８０は入口部５９の受入長さ５４が拡がるように弾性変形可能の構成されている。
【００３２】
このような実施形態では、カバー体１７の開放状態においてカバー体１７に一定の負荷（図１３（Ａ）に示すベクトルｆ１）が掛かるが、軸受接続部８０は変形せず、図１３（Ａ）に示す如く中空部７８は高さｈに維持される。また、このとき入口部５９の受入長さ５４は回動軸５３の直径より小さいため、回動軸５３が入口部５９から出ることができない。
【００３３】
一方、カバー体１７に一定以上の負荷が掛かったときには、カバー体１７が更に開放方向７２に僅かに回動することに伴い、図１３（Ｂ）に示すベクトルｆ２（ｆ２＞ｆ１）が増加して弾性変形可能な軸受接続部８０が入口部５９側へ僅かに変形し、中空部７８は高さｈ’（ｈ’＞ｈ）となる。そして軸受接続部８０の上方への変形に伴い、図１３（Ｂ）に矢印１２３で示す如く、入口部５９の受入長さ５４が拡がり、その結果、回動軸５３がより容易に受入保持部６１から外れやすくなる。
【００３４】
図３、図４に戻り、記録装置本体３の天面１３には突起状の電源オフスイッチ６８が設けれている。この電源オフスイッチ６８は、記録装置の電源がオンの状態のままカバー体１７を閉鎖したときに、カバー体１７の部位が電源オフスイッチ６８を押し込んで記録装置の電源をオフの状態にする機能を有する。
【００３５】
次に、排出スタッカ２３の構造について説明する。図１に示す如く、排出スタッカ２３は、不使用時には記録装置本体３の正面５と面一となるように収納されている。また、使用時には、図６に示す如く、正面５の下端に設けられた回動軸６９の周りで回動することにより、ほぼ水平な状態まで回動可能である。なお回動軸６９には図示しないダンパー構造が適用されており、排出スタッカ２３は開放速度が制御された状態で比較的ゆっくりと開放可能である。また、図６に示す如く、排出スタッカ２３を開放した状態では、記録後の被記録媒体Ｐが排出されてくるための排出口６６と、メモリーカード用スロット７０やメモリーカード取り出し用ボタン等が形成された面が現れるようになる。
【００３６】
図７に示す如く、排出スタッカ２３を開放するために、上述したように排出スタッカ開放ボタン４７が排出スタッカ開放機構７１の構成部品として記録装置本体３の天面１３に設けられている。排出スタッカ開放機構７１は、基部７３及び延長部７５から構成される本体枠７６と、基部７３内に上下方向に移動可能であり上部に排出スタッカ開放ボタン４７が形成されているボタン構成部材７７と、ボタン構成部材７７の内部に組み込まれ前後方向（正面と背面の方向）に移動可能な摺動部材７９と、摺動部材７９の一端に回動接続部８１を介して回動自在に接続され、他端側には本体枠７６の延長部７５方向へ延びるアーム部８３が形成されている開放作用アーム８５と、延長部７５の先端付近に収容されている磁石８７とを備えて成る。
【００３７】
ボタン構成部材７７の互いに対向する両側面８９には、背面側上方から正面側下方にかけて斜めに形成されたスリット９１が形成されている。ボタン構成部材７７の内側にはコイルバネ９３が上下方向に圧縮状態で固定されており、コイルバネ９３の作用によりボタン構成部材７７は常時上方へ付勢されている。
【００３８】
摺動部材７９の正面側下端からはボタン構成部材７７及び本体枠７６の基部７３を貫通して延びる前側延長部９５が形成され、一方摺動部材７９の背面側からはボタン構成部材７７及び本体枠７６の基部７３を貫通して延びる後側延長部９７が形成されている。また摺動部材７９の両側面９９にはバー１０１が貫通しており、このバー１０１がボタン構成部材７７の両側面８９に形成された２つのスリット９１を貫通している。更に、バー１０１は、本体枠７６の基部７３の両側面１０３に形成された切り欠き１０５を貫通している。そして、上述したようにコイルバネ９３の作用によりボタン構成部材７７は常時上方に付勢されているため、バー１０１は両方の切り欠き１０５の上辺１０７に常時当接状態にあり、バー１０１が前後方向へ移動する際には、切り欠き１０５の上辺１０７によって案内されるようになっている。
【００３９】
摺動部材７９の前側延長部９５には上述の回動接続部８１を介して開放作用アーム８５が接続されており、開放作用アーム８５は本体枠７６の基部７３と延長部７５との境界付近に位置する回動支点１０９を中心にして回動可能である。開放作用アーム８５のアーム部８３はほぼ弓形に湾曲しており、その先端には開放作用端１１１が形成されている。アーム部８３は、本体枠７６の延長部７５に形成された切り欠き部１１３内で前後方向に移動可能であり、前側（正面側）に移動したとき開放作用端１１１が本体枠７６の延長部７５の正面側から大きく突出するようになっている。
【００４０】
なお上記の構成によれば、排出スタッカ開放ボタン４７が記録装置本体３の天面１３に設けられており、不使用時にはカバー体１７によって覆われているから、例えば運搬時などに誤って排出スタッカ２３が開放してしまうことを防止できる。また排出スタッカ２３を開放するための取っ手やツマミなどを排出スタッカ２３に設ける必要がないから、排出スタッカ２３の閉鎖時に排出スタッカ２３と記録装置本体３の正面５を面一にすることができ、記録装置全体をすっきりとしたデザインにするために貢献できる。
【００４１】
次に、このような排出スタッカ開放機構７１により排出スタッカ２３を開放する際の作用について説明する。排出スタッカ２３の上部には鉄等の磁性部材１１５が表面に露呈しない状態で設けられており、排出スタッカ２３の閉鎖時には、磁性部材１１５が延長部７５の磁石８７に吸着されて排出スタッカ２３の閉鎖状態が維持されるようになっている。この状態で使用者が排出スタッカ開放ボタン４７を押すと、バー１０１が斜めに形成されたスリット９１および切り欠き１０５の上辺１０７に沿って背面側へ移動する。これに伴い摺動部材７９も背面側へ移行する。そして開放作用アーム８５が図７の時計回りに回動することで、開放作用端１１１が排出スタッカ２３を前方へ押し込み、磁石８７と磁性部材１１５との吸着力に打ち勝って排出スタッカ２３を前方側へ開放させることができる。また、排出スタッカ２３を閉鎖する場合には、使用者が排出スタッカ２３を垂直になる方向に回動させることで磁性部材１１５と磁石８７とが吸着して閉鎖状態が維持されるようになる。
【００４２】
なお、排出スタッカ２３が閉鎖している状態で誤って記録が行われることを防止するために、排出スタッカ開放ボタン４７を押す動作がトリガーになって被記録媒体Ｐの給送および記録の実行が行えるようにしてもよい。
【図面の簡単な説明】
【００４３】
【図１】本発明に係るカバー体を備える記録装置の正面側の斜視図。
【図２】同記録装置の背面側の斜視図。
【図３】カバー体が開放状態の同記録装置を示す斜視図。
【図４】同記録装置の天面の平面図。
【図５】（Ａ）は同記録装置のカバー体の着脱構造を示す分解斜視図、（Ｂ）は同要部断面図。
【図６】排出スタッカの開放状態の同記録装置を示す斜視図。
【図７】同記録装置の排出スタッカの自動開放構造の分解斜視図。
【図８】同記録装置の排出スタッカの自動開放構造の開放動作前の状態を示す側面図（Ａ）と平面図（Ｂ）。
【図９】同記録装置の排出スタッカの自動開放構造の開放動作時の状態を示す側面図（Ａ）と平面図（Ｂ）。
【図１０】同記録装置のカバー体部分の要部側断面図で、（Ａ）は一定以上の負荷がカバー体に掛かる前の説明図であり、（Ｂ）は一定以上の負荷がカバー体に掛かった後の説明図。
【図１１】本発明の他の実施形態を示すカバー体部分の要部側断面図で、（Ａ）は一定以上の負荷がカバー体に掛かる前の説明図であり、（Ｂ）は一定以上の負荷がカバー体に掛かった後の説明図。
【図１２】本発明の更に他の実施形態を示すカバー体部分の要部側断面図で、（Ａ）は一定以上の負荷がカバー体に掛かる前の説明図であり、（Ｂ）は一定以上の負荷がカバー体に掛かった後の説明図。
【図１３】本発明の更に他の実施形態を示すカバー体部分の要部側断面図で、（Ａ）は一定以上の負荷がカバー体に掛かる前の軸受接続部の変形前の状態であり、（Ｂ）は一定以上の負荷がカバー体に掛かった後の軸受接続部の変形後の状態を示す。
【符号の説明】
【００４４】
１  記録装置、３  記録装置本体、５  正面、７  背面、９  側面、１１  側面、１３  天面、１５  底面、１７  カバー体、１９  操作パネル、２１  給送部、２３  排出スタッカ、２５  ハンドル、２７  電源スイッチ、２８  電源インジケータ、２９  液晶表示画面、３１  左右移動ボタン、３３  メニュー選択ボタン、３５  用紙選択ボタン、３７  用紙選択表示部、３９  記録実行ボタン、４１  全て記録実行ボタン、４３  ＯＫボタン、４５  キャンセルボタン、４７  排出スタッカ開放ボタン、４９  把持部、５１  窓部、５３  回動軸、５４  受入長さ、５５  回動軸受け、５７  回動部、５９  入口部、６１  受入保持部、６３  ストッパ、６５  ストッパ受け部、６７  ペーパーサポート、６６  排出口、６８  電源オフスイッチ、６９  回動軸、７０  メモリーカード用スロット、７１  排出スタッカ開放機構、７２  矢印、７３  基部、７４  回動軸が移動しようとする方向、７５  延長部、７６  本体枠、７７  ボタン構成部材、７８  中空部、７９  摺動部材、８０  軸受接続部、８１  回動接続部、８３  アーム部、８５  開放作用アーム、８７  永久磁石、８９  ボタン構成部材の側面、９１  スリット、９３  コイルバネ、９５  前側延長部、９７  後側延長部、９９  摺動部材の側面、１０１  バー、１０３  基部の側面、１０５  切り欠き、１０７  切り欠きの上辺、１０９  回動支点、１１１  開放作用端、１１３  切り欠き部、１１５  磁性部材、１１７  別の支点、１１９  カバー体の別の部位、１２１  回動軸が移動しようとする方向、１２３  矢印、Ｐ  被記録媒体、Ｘ  主走査方向、Ｙ  副走査方向
【図１】
0004702551.tif 000002
【図２】
0004702551.tif 000003
【図３】
0004702551.tif 000004
【図４】
0004702551.tif 000005
【図５】
0004702551.tif 000006
【図６】
0004702551.tif 000007
【図７】
0004702551.tif 000008
【図８】
0004702551.tif 000009
【図９】
0004702551.tif 000010
【図１０】
0004702551.tif 000011
【図１１】
0004702551.tif 000012
【図１２】
0004702551.tif 000013
【図１３】
0004702551.tif 000014